(57)【要約】  本考案の実施形態は、無線インターネットデバイスを開示している。無線インターネットデバイスは収容空間を備えたデバイス本体（１）と、収容空間内に取り付けられた接続インターフェイス（２）と、ＳＩＭカードを組み込むように形成された加入者識別モジュールカードホルダ（３）と、を含み、プッシュロック機構（４，５）も収容空間内に取り付けられ、プッシュロック機構（４，５）は押込み部（４１，５１）とロック部（４２，５２）とを具備し、押込み部（４１，５１）はロック部（４２，５２）に接続されており、押込み部（４１，５１）はデバイス本体（１）に沿ってスライドし、押込み部（４１，５１）がスライドして接続インターフェイス（２）の外側部を塞いだ状態において、ロック部（４２，５２）はＳＩＭカードホルダ（３）を解放し、押込み部（４１，５１）がスライドして接続インターフェイス（２）の外側部を露出した状態において、ロック部（４２，５２）はＳＩＭカードホルダ（３）をロックする。本考案の実施形態により提供された解決策は、無線インターネットデバイスが作動している場合に、ＳＩＭカードホルダ（３）が不規則に組み込まれ、および引き出されることが不可能である。
2013535151.tif 000002
【特許請求の範囲】
【請求項１】
収容空間を備えたデバイス本体と、前記収容空間内に取り付けられた接続インターフェイスと、ＳＩＭカードを組み込むように形成されたＳＩＭカードホルダと、を具備した無線インターネットデバイスであって、
プッシュロック機構も前記収容空間内に取り付けられ、前記プッシュロック機構は押込み部とロック部とを具備し、前記押込み部は前記ロック部に接続されており、
前記押込み部は前記デバイス本体に沿ってスライドし、
前記押込み部がスライドして前記接続インターフェイスの外側部を塞いだ状態において、前記ロック部は前記ＳＩＭカードホルダを解放し、前記押込み部がスライドして前記接続インターフェイスの外側部を露出した状態において、前記ロック部は前記ＳＩＭカードホルダをロックすることを特徴とする無線インターネットデバイス。
【請求項２】
前記プッシュロック機構は前記デバイス本体の端縁に沿って取り付けられたプッシュロッドであり、該プッシュロッドの２つの端部はそれぞれ前記押込み部と前記ロック部とであり、前記押込み部は前記デバイス本体の外側に取り付けられ、前記ロック部は前記収容空間の内側に取り付けられていることを特徴とする請求項１に記載の無線インターネットデバイス。
【請求項３】
前記ロック部の端部は、前記ＳＩＭカードホルダに形成された凹部と係合するボスであることを特徴とする請求項２に記載の無線インターネットデバイス。
【請求項４】
前記押込み部は前記デバイス本体の端縁に取り付けられたプッシュロッドであり、該プッシュロッドの第１端部は前記デバイス本体の外側に取り付けられ、該プッシュロッドの第２端部は前記収容空間の内側に取り付けられており、
前記プッシュロッドはＴ形状ボスに接続され、該Ｔ形状ボスは前記プッシュロッドに直交した支持部と、前記プッシュロッドが延びた方向と同一の方向に取り付けられたプラットフォーム部と、を具備し、前記プッシュロッドが延びた方向において、前記プラットフォーム部の２つの端部から前記プッシュロッドまでの垂直距離は、不均等であり、
前記ロック部は凹部を備えたスライド部と、該スライド部に接続されて前記ＳＩＭカードホルダと係合するように形成されたボスと、を具備し、前記スライド部の凹部は前記Ｔ形状ボスと協働して使用されることを特徴とする請求項１に記載の無線インターネットデバイス。
【請求項５】
前記スライド部の凹部の底面と前記プラットフォーム部の上面とは、対応したスロープを形成していることを特徴とする請求項４に記載の無線インターネットデバイス。
【請求項６】
前記凹部はあり溝であることを特徴とする請求項４または５に記載の無線インターネットデバイス。
【請求項７】
前記スライド部のスライドのためのレールを提供したガイドレールが、前記デバイス本体の内部に且つスライド部の２つの側部においても形成されていることを特徴とする請求項４または５に記載の無線インターネットデバイス。
【請求項８】
前記無線インターネットデバイスはＵＳＢデータカードであることを特徴とする請求項１〜５のいずれか一項に記載の無線インターネットデバイス。
【発明の詳細な説明】
【技術分野】
【０００１】
本願は２０１０年６月２４日に中国特許庁に出願されたＮｏ．２０１０２０２４１４１１．７の中国特許出願の優先権を主張するものであり、当該出願は「無線インターネットデバイス」との名称であり、その全体が参照によりここに組み込まれている。
【０００２】
本考案の実施形態は通信技術の分野に関し、特に無線インターネットデバイスに関する。
【背景技術】
【０００３】
無線インターネットデバイスは、データカードおよびモバイル無線ホットスポットのような、モバイルブロードバンドアクセスターミナルデバイスである。今のところ、コンピュータ、特にパーソナルコンピュータ（パーソナルコンピュータ、これ以降ＰＣとして参照する）はネットワークへの無線アクセスを実現することが可能であり、それらはＧＳＭエボリューションテクノロジーのための強化データレート（ＧＳＭエボリューションのための強化データレート、これ以降Ｅｄｇｅｓとして参照する）、符号分割多重アクセス（code division multiple access）（符号分割多重アクセス、これ以降ＣＤＭＡとして参照する）、ユニバーサルモバイル電気通信システム（ユニバーサルモバイル電気通信システム、これ以降ＵＭＴＳとして参照する）、高速パケットアクセステクノロジー（高速パケットアクセステクノロジー、これ以降ＨＳＰＡとして参照する）、ＨＳＰＡ＋、およびロングタームエボリューション（ロングタームエボリューションこれ以降ＬＴＥとして参照する）であり、ユニバーサルシリアルバス（登録商標）（ユニバーサルシリアルバス、これ以降ＵＳＢとして参照される）データカードを通じている。無線アクセス方法はインターネットへのアクセス、ウェブページの閲覧、Ｅメールの送受信、等を可能とし、ネットワークケーブルの制限を受けず、加入者のモバイルオフィスにとって多大な利便性を提供している。
【０００４】
無線インターネットデバイスは、加入者識別モジュール（加入者識別モジュール、これ以降ＳＩＭとして参照する）を使用することによって、無線電話信号の受信地域内のいかなる場所においてもインターネットに接続され得る。ＳＩＭカードは無線インターネットデバイスのＳＩＭカードホルダに組み込まれ、ＵＳＢ無線インターネットデバイスとの通信接続を達成する。
【０００５】
本考案の完成の過程において、発明者は、先行技術は少なくとも以下の技術的な欠点を備えていることを見出した。先行技術における無線インターネットデバイスのＳＩＭカードが不規則に組み込まれ、および引き出されることが可能であり、偶発的なネットワークの遮断が使用過程において無線インターネットデバイスに容易に発生することである。
【発明の概要】
【発明が解決しようとする課題】
【０００６】
本考案の実施形態は先行技術における欠点を解決するために使用される無線インターネットデバイスを提供しており、無線インターネットデバイスが作動している場合に、ＳＩＭカードホルダが不規則に組み込まれ、および引き出されることが不可能であり、ＳＩＭカードホルダの不規則な組み込みおよび取り出しに起因した偶発的なネットワークの遮断が無線インターネットデバイスの使用過程において発生しないことを確実にするという目的を達成している。
【課題を解決するための手段】
【０００７】
本考案の実施形態は収容空間と、収容空間内に取り付けられた接続インターフェイスと、ＳＩＭカードを組み込むように形成されたＳＩＭカードホルダと、を備えたデバイス本体を含んだ無線インターネットデバイスを提供しており、プッシュロック機構も収容空間内に取り付けられ、プッシュロック機構は押込み部とロック部とを含み、押込み部はロック部に接続されており、
押込み部はデバイス本体に沿ってスライドし、押込み部がスライドして接続インターフェイスの外側部を塞いだ状態において、ロック部はＳＩＭカードホルダを解放し、押込み部がスライドして接続インターフェイスの外側部を露出した状態において、ロック部はＳＩＭカードホルダをロックする。
【０００８】
前述の無線インターネットデバイスに関して、プッシュロック機構はデバイス本体の端縁に沿って取り付けられたプッシュロッドであり、プッシュロッドの２つの端部はそれぞれ押込み部とロック部とであり、押込み部はデバイス本体の外側に取り付けられ、ロック部は収容空間の内側に取り付けられている。
【０００９】
前述の無線インターネットデバイスに関して、ロック部の端部は、ＳＩＭカードホルダに形成された凹部と係合するボスである。
【００１０】
前述の無線インターネットデバイスに関して、押込み部はデバイス本体の端縁に取り付けられたプッシュロッドであり、プッシュロッドの第１端部はデバイス本体の外側に取り付けられ、プッシュロッドの第２端部は収容空間の内側に取り付けられており、プッシュロッドはＴ形状ボスに接続され、Ｔ形状ボスはプッシュロッドに直交した支持部と、プッシュロッドが延びた方向と同一の方向に取り付けられたプラットフォーム部と、を含み、プッシュロッドが延びた方向において、プラットフォーム部の２つの端部からプッシュロッドまでの垂直距離は不均等であり、
ロック部は凹部を備えたスライド部と、スライド部に接続されてＳＩＭカードホルダと係合するように形成されたボスと、を含み、スライド部の凹部はＴ形状ボスと協働して使用される。
【００１１】
前述の無線インターネットデバイスに関して、スライド部の凹部の底面とプラットフォーム部の上面とは、対応したスロープを形成している。
【００１２】
前述の無線インターネットデバイスに関して、凹部はあり溝である。
【００１３】
前述の無線インターネットデバイスに関して、スライド部のスライドのためのレールを提供したガイドレールが、デバイス本体の内部に且つスライド部の２つの側部においても形成されている。
【００１４】
前述の無線インターネットデバイスに関して、無線インターネットデバイスはＵＳＢデータカードである。
【００１５】
本考案の実施形態により提供された無線インターネットデバイスは、押込み部とロック部とを含んだプッシュロック機構を通じて、押込み部は無線インターネットデバイスの本体に沿ってスライドすることが可能であり、押込み部がスライドして接続インターフェイスの外側部を塞いだ状態において、ロック部はＳＩＭカードホルダを解放し、押込み部がスライドして接続インターフェイスの外側部を露出した状態において、ロック部はＳＩＭカードホルダをロックする。無線インターネットデバイスが作動している場合、ＳＩＭカードホルダはロックされ、不規則に組み込まれ、および引き出されることが不可能であり、無線インターネットデバイスの通常動作のためのネットワーク要求が確実とされる。
【００１６】
本考案の実施形態および先行技術における技術的解決策をより明確に図示するために、実施形態または先行技術を示すために必要とされた添付図が以下に簡潔に導入されている。明らかに、以下に記載の添付図は本考案のいくつかの実施形態であり、当業者は創造的な努力をすることなく添付図によりさらに他の図をさらに導き出すことが可能である。
【図面の簡単な説明】
【００１７】
【図１】先行技術による無線インターネットデバイスの概略的な構造を示した図である。
【図２】本考案の第１実施形態による無線インターネットデバイスの概略的な内部構造を示した図である。
【図３】本考案の第１実施形態による無線インターネットデバイスの概略的な内部構造を示した図である。
【図４】本考案の第２実施形態による無線インターネットデバイスの概略的な内部構造を示した図である。
【図５】本考案の第２実施形態によるプッシュロック機構の押込み部を概略的に示した図である。
【図６】本考案の第２実施形態によるプッシュロック機構のロック部を概略的に示した図である。
【図７】本考案の第２実施形態によるＴ形状ボスとあり溝との間の協働使用を概略的に示した図である。
【図８】本考案の第２実施形態によるＴ形状ボスとあり溝との間の協働使用を概略的に示した図である。
【図９】本考案の第２実施形態による無線インターネットデバイスの概略的な内部構造を示した図である。
【図１０】本考案の第２実施形態による無線インターネットデバイスの概略的な内部構造を示した図である。
【発明を実施するための形態】
【００１８】
本考案の実施形態の目的、技術的解決策、および利点を明確にするために、本考案の実施形態の添付図を参照した以下の記載により、本考案の実施形態における技術的解決策は明確かつ完璧となる。明確に、記載された実施形態は、本考案の実施形態のすべてというよりもむしろ実施形態の一部である。創造的な努力無くして当業者によって本考案の実施形態に基づいて得られる他のすべての実施形態は、本考案の保護範囲内に収まるだろう。
【００１９】
図１は先行技術による無線インターネットデバイスの概略的な構造を示した図であり、図1に示されたように、無線インターネットデバイスは収容空間を備えたデバイス本体１と、収容空間内に組み込まれた接続インターフェイス２と、ＳＩＭカードを搭載するために形成されたＳＩＭカードホルダ３と、を含んでいる。
【００２０】
本発明に実施形態は無線インターネットデバイスを提供し、その実施形態において、ＵＳＢ（登録商標）データカードが図示された無線インターネットデバイスの一例として挙げられるが、保護範囲を限定して使用されるものではない。図１に示された無線インターネットデバイスに基づいて、無線インターネットデバイスは収容空間に組み込まれたプッシュロック機構をさらに含み、このプッシュロック機構はプッシュロック機構を移動するためのトリガを形成した押込み部と、ＳＩＭカードホルダ３の位置を限定する機能を発揮するために形成されたロック部と、を含んでいてもよい。押込み部は無線インターネットデバイスの本体に沿ってスライドし、押込み部がスライドして接続インターフェイス２の外側部を塞いだときに、ＳＩＭカードがロック部から解放され、押込み部がスライドして接続インターフェイス２の外側部を露出したときに、ＳＩＭカードがロック部からロックされてもよい。
【００２１】
接続インターフェイスの外側部は、ここでは外側（デバイス本体１ではない）接続インターフェイス２の側部として設定され、別の対象物に接続するように形成されている。
【００２２】
ロック部から解放されるＳＩＭカードホルダ３は、ロック部とＳＩＭカードホルダ３との間に存在する非物理的接続関係として理解されてもよく、ＳＩＭカードホルダ３がロック部から解放された場合、ＳＩＭカードホルダ３は不規則にデバイス本体１の内側に組み込まれるか、またはデバイス本体１の外側に引き出される。一方で、ロック部からロックされたＳＩＭカードホルダ３は、ロック部とＳＩＭカードホルダ３との間に存在する物理的接続関係として理解されてもよく、ロック部がＳＩＭカードのノッチに係合するような形式であり、ロック部はＳＩＭカードホルダ３に移動を制限する効果を与える。ＳＩＭカードホルダ３がロック部からロックされた場合、ＳＩＭカードホルダ３は移動することができず、不規則にデバイス本体１の内側に組み込まれるか、またはデバイス本体１の外側に引き出されることができない。
【００２３】
本考案の実施形態により提供された無線インターネットデバイスに関して、プッシュロック機構が押込み部とロック部とを含んでいることによって、押込み部は無線インターネットデバイスの本体に沿って移動することができ、ＳＩＭカードホルダ３はロック部から解放される。その状態において、押込み部はスライドして無線インターネットデバイスの接続インターフェイスの外側部を塞いでいる。ＳＩＭカードホルダはロック部からロックされ、その状態において、押込み部はスライドして接続インターフェイス２の外側部を露出する。無線インターネットデバイスが作動しているとき、ＳＩＭカードホルダはロックされ、不規則に組み込まれ、および引き出されることができず、無線インターネットデバイスの通常動作のために必要とされるネットワークが確実なものとされる。
【００２４】
前述の無線インターネットデバイスに関して、図２は本発明の実施形態による無線インターネットデバイスの概略的な内部構造を示した図である。図２に示されたように、無線インターネットデバイスのプッシュロック機構はデバイス本体１の端縁に沿って取り付けられたプッシュロッド４であり、プッシュロッド４の２つの端部はそれぞれ押込み部４１とロック部４２とである。ロック部４２の端部は、使用状態においてＳＩＭカードホルダ３に形成された凹部３１を係合するボスである。
【００２５】
本実施形態により提供された無線インターネットデバイスは、非使用状態において、接続インターフェイス２が別の対象物に接続されていない場合に、プッシュロック機構の押込み部４１は接続インターフェイス２を塞ぎ、ＳＩＭカードホルダ３の凹部３１はロック部４２から解放されている。この場合に、ＳＩＭカードホルダ３は不規則に組み込まれ、および引き出されることが可能である。無線インターネットデバイスが使用状態にある場合、図３に示されたように接続インターフェイス２は別の対象物に接続されている。図３は本発明の第１実施形態による無線インターネットデバイスの概略的な内部構造を示した図であり、プッシュロック機構の押込み部４１はスライドして接続インターフェイス２の外側部を露出し、接続インターフェイス２はＵＳＢ（登録商標）雄コネクタとの接続に使用され得る。プッシュロック機構の押込み部４１はＵＳＢ雄コネクタの干渉により元の位置に戻ることができない。プッシュロック機構のロック部４２は押込み部４１と連結されており、ロック部４２は、押込み部４１がＳＩＭカードホルダ３をロックする効果の下でＳＩＭカードホルダ３の凹部３１内に入り込み、これによってＳＩＭカードホルダ３はロックされて、引き抜かれない。
【００２６】
本実施形態により提供された無線インターネットデバイスに関して、押込み部とロック部とを含んだプッシュロック機構により、押込み部は無線インターネットデバイスの本体に沿ってスライドすることができる。押込み部がスライドして無線インターネットデバイスの接続インターフェイスの外側部を塞いだ状態において、ＳＩＭカードホルダはロック部から解放される。押込み部がスライドして接続インターフェイスの外側部を露出した状態において、ＳＩＭカードホルダはロック部からロックされる。無線インターネットデバイスが作動しているとき、ＳＩＭカードホルダはロックされ、不規則に組み込まれ、および引き出されることができず、無線インターネットデバイスの通常動作のために必要とされるネットワークが確実なものとされる。
【００２７】
前述の無線インターネットデバイスに関して、図４は本発明の実施形態による無線インターネットデバイスの概略的な内部構造を示した図である。図４に示されたように、無線インターネットデバイスは収容空間に取り付けられたプッシュロック機構をさらに含み、プッシュロック機構はプッシュロック機構を移動するためのトリガを形成した押込み部５１と、ＳＩＭカードホルダ３の位置を限定する機能を発揮するために形成されたロック部５２と、を含んでいる。
【００２８】
図５は本発明の実施形態によるプッシュロック機構の押込み部の概略を示した図である。図５に示された押込み部５１に関して、押込み部５１はプッシュロッドであり、このプッシュロッドの第１端部はデバイス本体１の外側に取り付けられ、プッシュロッドの第２端部は収容空間の内側に取り付けられている。プッシュロッドの第２端部はＴ形状ボスに接続されており、Ｔ形状ボスはプッシュロッドに直交した支持部と、プッシュロッドの延びた方向と同一の方向に取り付けられたプラットフォームと、を含んでいる。プッシュロッドが延びた方向におけるプラットフォームの２つの端部からプッシュロッドまでの垂直距離は、均等ではない。図６は本発明の実施形態によるプッシュロック機構のロック部の概略を示した図である。図６に示されたロック部５２に関して、ロック部５２は凹部を備えたスライド部と、スライド部に接続され且つＳＩＭカードホルダ３と係合するように形成されたボスと、を含んでいる。図７は本発明の実施形態によるＴ形状ボスとあり溝との間の協働使用を示した図である。図７に示されたように、スライド部の凹部はＴ形状ボスと協働するように使用されている。それに応じて、図８は本発明の実施形態によるＴ形状ボスとあり溝との間の協働使用を示した図である。図８に示されたように、スライド部の凹部の底面とプラットフォーム部の上面とは、対応してスロープを形成している。
【００２９】
前述の無線インターネットデバイスに関して、スライド部の凹部はあり溝であってもよい。
【００３０】
前述の無線インターネットデバイスに関して、スライド部のスライドのためのレールを提供するガイドレール６は、デバイス本体１の内部において且つスライド部の２つの側部において取り付けられている。
【００３１】
図９は本発明の実施形態による無線インターネットデバイスの概略的な内部構造を示した図である。図９に示されたように、実施形態により提供された無線インターネットデバイスが使用状態にない場合、プッシュロック機構の押込み部５１はＵＳＢ接続インターフェイス２を塞ぎ、ＳＩＭカードホルダ３の凹部はロック部５２から解放されている。この場合、ＳＩＭカードホルダ３は不規則に組み込まれ、および引き出されることが可能な状態にある。図１０は本発明の実施形態による無線インターネットデバイスの概略的な内部構造を示した図である。図１０に示されたように、無線インターネットデバイスが使用状態にある場合、プッシュロック機構の押込み部５１は接続インターフェイス２から離れ、接続インターフェイス２はＵＳＢ雄コネクタとの接続に使用されることが可能であり、プッシュロック機構の押込み部５１はＵＳＢ雄コネクタの干渉のために原点位置に戻ることができない。ロック部５２のあり溝は、押込み部５１のＴ形状ボスのプラットフォーム部上面によって負荷された支持力の影響の下で、ＳＩＭカードホルダ３の凹部の方向に移動させられ、ロック部５２は、押込み部５１のＳＩＭカードホルダ３への影響の下で、ＳＩＭカードホルダ３内に組み込まれ、これによってＳＩＭカードホルダ３はロックされて、引き抜かれることが不可能となっている。ガイドレール６の制限のために、ロック部５２は、大きく揺動またはオフセットすること無しに、ＳＩＭカードホルダ３の凹部内に正確に組み込まれることが可能である。
【００３２】
上述の本発明の実施形態において、無線インターネットデバイスはＵＳＢインターネットカード、すなわちＵＳＢ無線モデムであってもよい。
【００３３】
本実施形態により提供された無線インターネットデバイスに関して、押込み部とロック部とを含んだプッシュロック機構により、押込み部は無線インターネットデバイスの本体に沿ってスライドする。押込み部がスライドして無線インターネットデバイスの接続インターフェイスの外側部を塞いだ状態において、ＳＩＭカードホルダはロック部から解放され、押込み部がスライドして接続インターフェイスの外側部を露出した状態において、ＳＩＭカードホルダはロック部によってロックされる。無線インターネットデバイスが作動している場合は、ＳＩＭカードホルダはロックされ、不規則に組み込まれ、および引き出されることが不可能であり、無線インターネットデバイスの通常動作のためのネットワークの要求は保障されている。
【００３４】
最後に、上述の実施形態は、考案の技術的な解決策を記載するためのみに使用されたものであり、考案を限定する目的ではないことが理解されるべきである。本考案は上述の実施形態を参照して詳細に記載されており、当業者は、上述の各実施形態において記録された技術的解決策に対して閉係し、または技術的解決策のある技術的特徴を等価に置き換えることが可能であることを理解する。それらの変形または置き換えは、本考案の各実施形態の技術的解決策の思想および範囲から逸脱した、対応した技術的解決策の本質を形成するものではない。
【符号の説明】
【００３５】
１  ・・・デバイス本体
２  ・・・接続インターフェイス
３  ・・・ＳＩＭカードホルダ
４  ・・・プッシュロッド
６  ・・・ガイドレール
３１  ・・・凹部
４１，５１  ・・・押込み部
４２，５２  ・・・ロック部
【図１】
2013535151.tif 000003
【図２】
2013535151.tif 000004
【図３】
2013535151.tif 000005
【図４】
2013535151.tif 000006
【図５】
2013535151.tif 000007
【図６】
2013535151.tif 000008
【図７】
2013535151.tif 000009
【図８】
2013535151.tif 000010
【図９】
2013535151.tif 000011
【図１０】
2013535151.tif 000012
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
収容空間を備えたデバイス本体と、前記収容空間内に取り付けられた接続インターフェイスと、ＳＩＭカードを組み込むように形成されたＳＩＭカードホルダと、を具備した無線インターネットデバイスであって、
プッシュロック機構も前記収容空間内に取り付けられ、前記プッシュロック機構は押込み部とロック部とを具備し、前記押込み部は前記ロック部に接続されており、
前記押込み部は前記デバイス本体に沿ってスライドし、
前記押込み部がスライドして前記接続インターフェイスの外側部を塞いだ状態において、前記ロック部は前記ＳＩＭカードホルダを解放し、前記押込み部がスライドして前記接続インターフェイスの外側部を露出した状態において、前記ロック部は前記ＳＩＭカードホルダをロックすることを特徴とする無線インターネットデバイス。
【請求項２】
前記プッシュロック機構は前記デバイス本体の端縁に沿って取り付けられたプッシュロッドであり、該プッシュロッドの２つの端部はそれぞれ前記押込み部と前記ロック部とであり、前記押込み部は前記デバイス本体の外側に取り付けられ、前記ロック部は前記収容空間の内側に取り付けられていることを特徴とする請求項１に記載の無線インターネットデバイス。
【請求項３】
前記ロック部の端部は、前記ＳＩＭカードホルダに形成された凹部と係合するボスであることを特徴とする請求項２に記載の無線インターネットデバイス。
【請求項４】
前記押込み部は前記デバイス本体の端縁に取り付けられたプッシュロッドであり、該プッシュロッドの第１端部は前記デバイス本体の外側に取り付けられ、該プッシュロッドの第２端部は前記収容空間の内側に取り付けられており、
前記プッシュロッドはＴ形状ボスに接続され、該Ｔ形状ボスは前記プッシュロッドに直交した支持部と、前記プッシュロッドが延びた方向と同一の方向に取り付けられたプラットフォーム部と、を具備し、前記プッシュロッドが延びた方向において、前記プラットフォーム部の２つの端部から前記プッシュロッドまでの垂直距離は、不均等であり、
前記ロック部は凹部を備えたスライド部と、該スライド部に接続されて前記ＳＩＭカードホルダと係合するように形成されたボスと、を具備し、前記スライド部の凹部は前記Ｔ形状ボスと協働して使用されることを特徴とする請求項１または２に記載の無線インターネットデバイス。
【請求項５】
前記スライド部の凹部の底面と前記プラットフォーム部の上面とは、対応したスロープを形成していることを特徴とする請求項４に記載の無線インターネットデバイス。
【請求項６】
前記凹部はあり溝であることを特徴とする請求項４または５に記載の無線インターネットデバイス。
【請求項７】
前記スライド部のスライドのためのレールを提供したガイドレールが、前記デバイス本体の内部に且つスライド部の２つの側部においても形成されていることを特徴とする請求項４または５に記載の無線インターネットデバイス。
【請求項８】
前記無線インターネットデバイスはＵＳＢデータカードであることを特徴とする請求項１〜５のいずれか一項に記載の無線インターネットデバイス。
【手続補正２】
【補正対象書類名】明細書
【補正対象項目名】全文
【補正方法】変更
【補正の内容】
【発明の詳細な説明】
【技術分野】
【０００１】
本発明の実施形態は通信技術の分野に関し、特に無線インターネットデバイスに関する。
【背景技術】
【０００２】
無線インターネットデバイスは、データカードおよびモバイル無線ホットスポットのような、モバイルブロードバンドアクセスターミナルデバイスである。今のところ、コンピュータ、特にパーソナルコンピュータ（パーソナルコンピュータ、これ以降ＰＣとして参照する）はネットワークへの無線アクセスを実現することが可能であり、それらはＧＳＭエボリューションテクノロジーのための強化データレート（ＧＳＭエボリューションのための強化データレート、これ以降Ｅｄｇｅｓとして参照する）、符号分割多重アクセス（code division multiple access）（符号分割多重アクセス、これ以降ＣＤＭＡとして参照する）、ユニバーサルモバイル電気通信システム（ユニバーサルモバイル電気通信システム、これ以降ＵＭＴＳとして参照する）、高速パケットアクセステクノロジー（高速パケットアクセステクノロジー、これ以降ＨＳＰＡとして参照する）、ＨＳＰＡ＋、およびロングタームエボリューション（ロングタームエボリューションこれ以降ＬＴＥとして参照する）であり、ユニバーサルシリアルバス（登録商標）（ユニバーサルシリアルバス、これ以降ＵＳＢとして参照される）データカードを通じている。無線アクセス方法はインターネットへのアクセス、ウェブページの閲覧、Ｅメールの送受信、等を可能とし、ネットワークケーブルの制限を受けず、加入者のモバイルオフィスにとって多大な利便性を提供している。
【０００３】
無線インターネットデバイスは、加入者識別モジュール（加入者識別モジュール、これ以降ＳＩＭとして参照する）を使用することによって、無線電話信号の受信地域内のいかなる場所においてもインターネットに接続され得る。ＳＩＭカードは無線インターネットデバイスのＳＩＭカードホルダに組み込まれ、ＵＳＢ無線インターネットデバイスとの通信接続を達成する。
【０００４】
本発明の完成の過程において、発明者は、先行技術は少なくとも以下の技術的な欠点を備えていることを見出した。先行技術における無線インターネットデバイスのＳＩＭカードが不規則に組み込まれ、および引き出されることが可能であり、偶発的なネットワークの遮断が使用過程において無線インターネットデバイスに容易に発生することである。
【発明の概要】
【発明が解決しようとする課題】
【０００５】
本発明の実施形態は先行技術における欠点を解決するために使用される無線インターネットデバイスを提供しており、無線インターネットデバイスが作動している場合に、ＳＩＭカードホルダが不規則に組み込まれ、および引き出されることが不可能であり、ＳＩＭカードホルダの不規則な組み込みおよび取り出しに起因した偶発的なネットワークの遮断が無線インターネットデバイスの使用過程において発生しないことを確実にするという目的を達成している。
【課題を解決するための手段】
【０００６】
本発明の実施形態は収容空間と、収容空間内に取り付けられた接続インターフェイスと、ＳＩＭカードを組み込むように形成されたＳＩＭカードホルダと、を備えたデバイス本体を含んだ無線インターネットデバイスを提供しており、プッシュロック機構も収容空間内に取り付けられ、プッシュロック機構は押込み部とロック部とを含み、押込み部はロック部に接続されており、
押込み部はデバイス本体に沿ってスライドし、押込み部がスライドして接続インターフェイスの外側部を塞いだ状態において、ロック部はＳＩＭカードホルダを解放し、押込み部がスライドして接続インターフェイスの外側部を露出した状態において、ロック部はＳＩＭカードホルダをロックする。
【０００７】
前述の無線インターネットデバイスに関して、プッシュロック機構はデバイス本体の端縁に沿って取り付けられたプッシュロッドであり、プッシュロッドの２つの端部はそれぞれ押込み部とロック部とであり、押込み部はデバイス本体の外側に取り付けられ、ロック部は収容空間の内側に取り付けられている。
【０００８】
前述の無線インターネットデバイスに関して、ロック部の端部は、ＳＩＭカードホルダに形成された凹部と係合するボスである。
【０００９】
前述の無線インターネットデバイスに関して、押込み部はデバイス本体の端縁に取り付けられたプッシュロッドであり、プッシュロッドの第１端部はデバイス本体の外側に取り付けられ、プッシュロッドの第２端部は収容空間の内側に取り付けられており、プッシュロッドはＴ形状ボスに接続され、Ｔ形状ボスはプッシュロッドに直交した支持部と、プッシュロッドが延びた方向と同一の方向に取り付けられたプラットフォーム部と、を含み、プッシュロッドが延びた方向において、プラットフォーム部の２つの端部からプッシュロッドまでの垂直距離は不均等であり、
ロック部は凹部を備えたスライド部と、スライド部に接続されてＳＩＭカードホルダと係合するように形成されたボスと、を含み、スライド部の凹部はＴ形状ボスと協働して使用される。
【００１０】
前述の無線インターネットデバイスに関して、スライド部の凹部の底面とプラットフォーム部の上面とは、対応したスロープを形成している。
【００１１】
前述の無線インターネットデバイスに関して、凹部はあり溝である。
【００１２】
前述の無線インターネットデバイスに関して、スライド部のスライドのためのレールを提供したガイドレールが、デバイス本体の内部に且つスライド部の２つの側部においても形成されている。
【００１３】
前述の無線インターネットデバイスに関して、無線インターネットデバイスはＵＳＢデータカードである。
【００１４】
本発明の実施形態により提供された無線インターネットデバイスは、押込み部とロック部とを含んだプッシュロック機構を通じて、押込み部は無線インターネットデバイスの本体に沿ってスライドすることが可能であり、押込み部がスライドして接続インターフェイスの外側部を塞いだ状態において、ロック部はＳＩＭカードホルダを解放し、押込み部がスライドして接続インターフェイスの外側部を露出した状態において、ロック部はＳＩＭカードホルダをロックする。無線インターネットデバイスが作動している場合、ＳＩＭカードホルダはロックされ、不規則に組み込まれ、および引き出されることが不可能であり、無線インターネットデバイスの通常動作のためのネットワーク要求が確実とされる。
【００１５】
本発明の実施形態および先行技術における技術的解決策をより明確に図示するために、実施形態または先行技術を示すために必要とされた添付図が以下に簡潔に導入されている。明らかに、以下に記載の添付図は本発明のいくつかの実施形態であり、当業者は創造的な努力をすることなく添付図によりさらに他の図をさらに導き出すことが可能である。
【図面の簡単な説明】
【００１６】
【図１】先行技術による無線インターネットデバイスの概略的な構造を示した図である。
【図２】本発明の第１実施形態による無線インターネットデバイスの概略的な内部構造を示した図である。
【図３】本発明の第１実施形態による無線インターネットデバイスの概略的な内部構造を示した図である。
【図４】本発明の第２実施形態による無線インターネットデバイスの概略的な内部構造を示した図である。
【図５】本発明の第２実施形態によるプッシュロック機構の押込み部を概略的に示した図である。
【図６】本発明の第２実施形態によるプッシュロック機構のロック部を概略的に示した図である。
【図７】本発明の第２実施形態によるＴ形状ボスとあり溝との間の協働使用を概略的に示した図である。
【図８】本発明の第２実施形態によるＴ形状ボスとあり溝との間の協働使用を概略的に示した図である。
【図９】本発明の第２実施形態による無線インターネットデバイスの概略的な内部構造を示した図である。
【図１０】本発明の第２実施形態による無線インターネットデバイスの概略的な内部構造を示した図である。
【発明を実施するための形態】
【００１７】
本発明の実施形態の目的、技術的解決策、および利点を明確にするために、本発明の実施形態の添付図を参照した以下の記載により、本発明の実施形態における技術的解決策は明確かつ完璧となる。明確に、記載された実施形態は、本発明の実施形態のすべてというよりもむしろ実施形態の一部である。創造的な努力無くして当業者によって本発明の実施形態に基づいて得られる他のすべての実施形態は、本発明の保護範囲内に収まるだろう。
【００１８】
図１は先行技術による無線インターネットデバイスの概略的な構造を示した図であり、図1に示されたように、無線インターネットデバイスは収容空間を備えたデバイス本体１と、収容空間内に組み込まれた接続インターフェイス２と、ＳＩＭカードを搭載するために形成されたＳＩＭカードホルダ３と、を含んでいる。
【００１９】
本発明に実施形態は無線インターネットデバイスを提供し、その実施形態において、ＵＳＢ（登録商標）データカードが図示された無線インターネットデバイスの一例として挙げられるが、保護範囲を限定して使用されるものではない。図１に示された無線インターネットデバイスに基づいて、無線インターネットデバイスは収容空間に組み込まれたプッシュロック機構をさらに含み、このプッシュロック機構はプッシュロック機構を移動するためのトリガを形成した押込み部と、ＳＩＭカードホルダ３の位置を限定する機能を発揮するために形成されたロック部と、を含んでいてもよい。押込み部は無線インターネットデバイスの本体に沿ってスライドし、押込み部がスライドして接続インターフェイス２の外側部を塞いだときに、ＳＩＭカードがロック部から解放され、押込み部がスライドして接続インターフェイス２の外側部を露出したときに、ＳＩＭカードがロック部からロックされてもよい。
【００２０】
接続インターフェイスの外側部は、ここでは外側（デバイス本体１ではない）接続インターフェイス２の側部として設定され、別の対象物に接続するように形成されている。
【００２１】
ロック部から解放されるＳＩＭカードホルダ３は、ロック部とＳＩＭカードホルダ３との間に存在する非物理的接続関係として理解されてもよく、ＳＩＭカードホルダ３がロック部から解放された場合、ＳＩＭカードホルダ３は不規則にデバイス本体１の内側に組み込まれるか、またはデバイス本体１の外側に引き出される。一方で、ロック部からロックされたＳＩＭカードホルダ３は、ロック部とＳＩＭカードホルダ３との間に存在する物理的接続関係として理解されてもよく、ロック部がＳＩＭカードのノッチに係合するような形式であり、ロック部はＳＩＭカードホルダ３に移動を制限する効果を与える。ＳＩＭカードホルダ３がロック部からロックされた場合、ＳＩＭカードホルダ３は移動することができず、不規則にデバイス本体１の内側に組み込まれるか、またはデバイス本体１の外側に引き出されることができない。
【００２２】
本発明の実施形態により提供された無線インターネットデバイスに関して、プッシュロック機構が押込み部とロック部とを含んでいることによって、押込み部は無線インターネットデバイスの本体に沿って移動することができ、ＳＩＭカードホルダ３はロック部から解放される。その状態において、押込み部はスライドして無線インターネットデバイスの接続インターフェイスの外側部を塞いでいる。ＳＩＭカードホルダはロック部からロックされ、その状態において、押込み部はスライドして接続インターフェイス２の外側部を露出する。無線インターネットデバイスが作動しているとき、ＳＩＭカードホルダはロックされ、不規則に組み込まれ、および引き出されることができず、無線インターネットデバイスの通常動作のために必要とされるネットワークが確実なものとされる。
【００２３】
前述の無線インターネットデバイスに関して、図２は本発明の実施形態による無線インターネットデバイスの概略的な内部構造を示した図である。図２に示されたように、無線インターネットデバイスのプッシュロック機構はデバイス本体１の端縁に沿って取り付けられたプッシュロッド４であり、プッシュロッド４の２つの端部はそれぞれ押込み部４１とロック部４２とである。ロック部４２の端部は、使用状態においてＳＩＭカードホルダ３に形成された凹部３１を係合するボスである。
【００２４】
本実施形態により提供された無線インターネットデバイスは、非使用状態において、接続インターフェイス２が別の対象物に接続されていない場合に、プッシュロック機構の押込み部４１は接続インターフェイス２を塞ぎ、ＳＩＭカードホルダ３の凹部３１はロック部４２から解放されている。この場合に、ＳＩＭカードホルダ３は不規則に組み込まれ、および引き出されることが可能である。無線インターネットデバイスが使用状態にある場合、図３に示されたように接続インターフェイス２は別の対象物に接続されている。図３は本発明の第１実施形態による無線インターネットデバイスの概略的な内部構造を示した図であり、プッシュロック機構の押込み部４１はスライドして接続インターフェイス２の外側部を露出し、接続インターフェイス２はＵＳＢ（登録商標）雄コネクタとの接続に使用され得る。プッシュロック機構の押込み部４１はＵＳＢ雄コネクタの干渉により元の位置に戻ることができない。プッシュロック機構のロック部４２は押込み部４１と連結されており、ロック部４２は、押込み部４１がＳＩＭカードホルダ３をロックする効果の下でＳＩＭカードホルダ３の凹部３１内に入り込み、これによってＳＩＭカードホルダ３はロックされて、引き抜かれない。
【００２５】
本実施形態により提供された無線インターネットデバイスに関して、押込み部とロック部とを含んだプッシュロック機構により、押込み部は無線インターネットデバイスの本体に沿ってスライドすることができる。押込み部がスライドして無線インターネットデバイスの接続インターフェイスの外側部を塞いだ状態において、ＳＩＭカードホルダはロック部から解放される。押込み部がスライドして接続インターフェイスの外側部を露出した状態において、ＳＩＭカードホルダはロック部からロックされる。無線インターネットデバイスが作動しているとき、ＳＩＭカードホルダはロックされ、不規則に組み込まれ、および引き出されることができず、無線インターネットデバイスの通常動作のために必要とされるネットワークが確実なものとされる。
【００２６】
前述の無線インターネットデバイスに関して、図４は本発明の実施形態による無線インターネットデバイスの概略的な内部構造を示した図である。図４に示されたように、無線インターネットデバイスは収容空間に取り付けられたプッシュロック機構をさらに含み、プッシュロック機構はプッシュロック機構を移動するためのトリガを形成した押込み部５１と、ＳＩＭカードホルダ３の位置を限定する機能を発揮するために形成されたロック部５２と、を含んでいる。
【００２７】
図５は本発明の実施形態によるプッシュロック機構の押込み部の概略を示した図である。図５に示された押込み部５１に関して、押込み部５１はプッシュロッドであり、このプッシュロッドの第１端部はデバイス本体１の外側に取り付けられ、プッシュロッドの第２端部は収容空間の内側に取り付けられている。プッシュロッドの第２端部はＴ形状ボスに接続されており、Ｔ形状ボスはプッシュロッドに直交した支持部と、プッシュロッドの延びた方向と同一の方向に取り付けられたプラットフォームと、を含んでいる。プッシュロッドが延びた方向におけるプラットフォームの２つの端部からプッシュロッドまでの垂直距離は、均等ではない。図６は本発明の実施形態によるプッシュロック機構のロック部の概略を示した図である。図６に示されたロック部５２に関して、ロック部５２は凹部を備えたスライド部と、スライド部に接続され且つＳＩＭカードホルダ３と係合するように形成されたボスと、を含んでいる。図７は本発明の実施形態によるＴ形状ボスとあり溝との間の協働使用を示した図である。図７に示されたように、スライド部の凹部はＴ形状ボスと協働するように使用されている。それに応じて、図８は本発明の実施形態によるＴ形状ボスとあり溝との間の協働使用を示した図である。図８に示されたように、スライド部の凹部の底面とプラットフォーム部の上面とは、対応してスロープを形成している。
【００２８】
前述の無線インターネットデバイスに関して、スライド部の凹部はあり溝であってもよい。
【００２９】
前述の無線インターネットデバイスに関して、スライド部のスライドのためのレールを提供するガイドレール６は、デバイス本体１の内部において且つスライド部の２つの側部において取り付けられている。
【００３０】
図９は本発明の実施形態による無線インターネットデバイスの概略的な内部構造を示した図である。図９に示されたように、実施形態により提供された無線インターネットデバイスが使用状態にない場合、プッシュロック機構の押込み部５１はＵＳＢ接続インターフェイス２を塞ぎ、ＳＩＭカードホルダ３の凹部はロック部５２から解放されている。この場合、ＳＩＭカードホルダ３は不規則に組み込まれ、および引き出されることが可能な状態にある。図１０は本発明の実施形態による無線インターネットデバイスの概略的な内部構造を示した図である。図１０に示されたように、無線インターネットデバイスが使用状態にある場合、プッシュロック機構の押込み部５１は接続インターフェイス２から離れ、接続インターフェイス２はＵＳＢ雄コネクタとの接続に使用されることが可能であり、プッシュロック機構の押込み部５１はＵＳＢ雄コネクタの干渉のために原点位置に戻ることができない。ロック部５２のあり溝は、押込み部５１のＴ形状ボスのプラットフォーム部上面によって負荷された支持力の影響の下で、ＳＩＭカードホルダ３の凹部の方向に移動させられ、ロック部５２は、押込み部５１のＳＩＭカードホルダ３への影響の下で、ＳＩＭカードホルダ３内に組み込まれ、これによってＳＩＭカードホルダ３はロックされて、引き抜かれることが不可能となっている。ガイドレール６の制限のために、ロック部５２は、大きく揺動またはオフセットすること無しに、ＳＩＭカードホルダ３の凹部内に正確に組み込まれることが可能である。
【００３１】
上述の本発明の実施形態において、無線インターネットデバイスはＵＳＢインターネットカード、すなわちＵＳＢ無線モデムであってもよい。
【００３２】
本実施形態により提供された無線インターネットデバイスに関して、押込み部とロック部とを含んだプッシュロック機構により、押込み部は無線インターネットデバイスの本体に沿ってスライドする。押込み部がスライドして無線インターネットデバイスの接続インターフェイスの外側部を塞いだ状態において、ＳＩＭカードホルダはロック部から解放され、押込み部がスライドして接続インターフェイスの外側部を露出した状態において、ＳＩＭカードホルダはロック部によってロックされる。無線インターネットデバイスが作動している場合は、ＳＩＭカードホルダはロックされ、不規則に組み込まれ、および引き出されることが不可能であり、無線インターネットデバイスの通常動作のためのネットワークの要求は保障されている。
【００３３】
最後に、上述の実施形態は、発明の技術的な解決策を記載するためのみに使用されたものであり、発明を限定する目的ではないことが理解されるべきである。本発明は上述の実施形態を参照して詳細に記載されており、当業者は、上述の各実施形態において記録された技術的解決策に対して閉係し、または技術的解決策のある技術的特徴を等価に置き換えることが可能であることを理解する。それらの変形または置き換えは、本発明の各実施形態の技術的解決策の範囲から逸脱した、対応した技術的解決策の本質を形成するものではない。
【符号の説明】
【００３４】
１  ・・・デバイス本体
２  ・・・接続インターフェイス
３  ・・・ＳＩＭカードホルダ
４  ・・・プッシュロッド
６  ・・・ガイドレール
３１  ・・・凹部
４１，５１  ・・・押込み部
４２，５２  ・・・ロック部
【国際調査報告】
2013535151.tif 000013
2013535151.tif 000014
2013535151.tif 000015
2013535151.tif 000016